(57)【要約】    【課題】  距離情報表示部材や距離情報観察窓といった外部から見える部分へのゴミの付着を効果的に防止することができ、鏡筒の小型化が容易なレンズ鏡筒を得ること。    【解決手段】  周上に距離情報観察窓が設けられている第１の筒と、レンズを保持するレンズ保持枠を駆動させる駆動部と、前記駆動部と連動して回転する回転部材と、前記回転部材の周上に設けた前記レンズ保持枠の位置を距離情報として表示する距離情報表示部材と、を備え、前記距離情報表示部材の距離情報を前記距離情報観察窓を介して観察できる構成のレンズ鏡筒において、前記距離情報表示部材は一方の面に前記距離情報が表示された長方形状のシート部材を前記駆動部の外周を覆うように前記回転部材の周上に一周以上円筒状に巻いて構成されていること。【選択図】    図２
2011033684.tif 000002
【特許請求の範囲】
【請求項１】
周上に距離情報観察窓が設けられている第１の筒と、レンズを保持するレンズ保持枠を駆動させる駆動部と、前記駆動部と連動して回転する回転部材と、前記回転部材の周上に設けた前記レンズ保持枠の位置を距離情報として表示する距離情報表示部材と、を備え、前記距離情報表示部材の距離情報を前記距離情報観察窓を介して観察できる構成のレンズ鏡筒において、前記距離情報表示部材は一方の面に前記距離情報が表示された長方形状のシート部材を前記駆動部の外周を覆うように前記回転部材の周上に一周以上円筒状に巻いて構成されていることを特徴とするレンズ鏡筒。
【請求項２】
前記シート部材の一端には、他端側と貼り合わせするときの基準となる１以上の基準線が形成されていることを特徴とする請求項１に記載のレンズ鏡筒。
【請求項３】
前記シート部材の前記距離情報が表示された面もしくは裏面には粘着剤が備えられていることを特徴とする請求項１又は２に記載のレンズ鏡筒。
【請求項４】
前記回転部材の周上の前記シート部材が重ねて貼り合わされる領域は、前記シート部材の厚み分だけの段差が設けられていることを特徴とする請求項１、２又は３に記載のレンズ鏡筒。
【請求項５】
前記距離情報表示部材と前記駆動部との間に円筒部材が配置され、前記距離情報表示部材もしくは前記円筒部材の内外径のうち少なくとも１つに粘着剤が備えられていることを特徴とする請求項１乃至４のいずれか１項に記載のレンズ鏡筒。
【請求項６】
請求項１乃至５のいずれか１項のレンズ鏡筒を有していることを特徴とする撮像装置。
【発明の詳細な説明】
【技術分野】
【０００１】
本発明は固定筒の一部に設けた距離情報観察窓を介して距離情報表示部材に表示したレンズの光軸方向の距離情報を観察するのに好適なレンズ鏡筒に関し、デジタルカメラ、ビデオカメラ等の撮像装置(カメラ)に好適なものである。
【背景技術】
【０００２】
従来、カメラ(撮像装置)と被写体の間の距離情報を示す距離情報表示装置として、距離情報表示部材をフォーカスレンズを駆動させる駆動部と連動させる構成が知られている。具体的には、フォーカスレンズの光軸方向の各位置における距離情報を距離情報表示部材に記載(形成)しておく。そして、レンズ鏡筒の外装部に取り付けられた透明な窓部品を介して距離情報表示部材に形成した距離情報を観察できるようにしている(特許文献１、２)。特許文献１では距離情報表示部材の視認性を改善させるために窓部にシリンドリカルレンズより成る光学部材を備えるレンズ鏡筒を開示している。特許文献２では距離情報表示部材を外径側に膨出させて窓部に距離情報表示部材を近づけた構成のレンズ鏡筒を開示している。
【先行技術文献】
【特許文献】
【０００３】
【特許文献１】特開２００５−２６６６７５号公報
【特許文献２】特開２０００−０５６２０４号公報
【発明の概要】
【発明が解決しようとする課題】
【０００４】
レンズ鏡筒の内部にレンズ駆動用の駆動部があると、駆動部の駆動に伴ってゴミが発生してくる。これらのゴミが距離情報表示部材や距離情報観察窓(観察窓)といった外部から見える部品へ付着することがある。このゴミの付着という観点から見た場合、特許文献１に開示されたレンズ鏡筒では距離情報表示部材や観察窓にゴミが付着しやすい。特許文献１のレンズ鏡筒は、ゴミ（磨耗粉等）の主な発生源と考えられるロータ、ステータ駆動部から距離情報表示部材までにオーバーラップ構造やゴミを捉える構造がない。このため駆動部で発生したゴミが距離情報表示部材や観察窓にたどり着きやすい。特許文献２のレンズ鏡筒では距離情報表示部材や観察窓が駆動部から離れているため、ゴミの付着という観点からは有利である。しかしながら、距離情報表示部材と窓部の間には部品を介在させることができないというレイアウト上の制約があり、レンズ鏡筒の小型化が難しい。また、動画撮影を行う場合には静止画撮影に比べ焦点調節を低速で行う必要があるため同じデフォーカス量であっても駆動時間が長くなったり、撮影時間そのものが長くなったりする。このため、このようなレンズ鏡筒には駆動部から発生するゴミの量は多くなり、何らかのゴミ対策が必要とされている。
【０００５】
本発明は、距離情報表示部材や距離情報観察窓といった外部から見える部分へのゴミの付着を効果的に防止することができ、鏡筒の小型化が容易なレンズ鏡筒の提供を目的とする。
【課題を解決するための手段】
【０００６】
本発明のレンズ鏡筒は、周上に距離情報観察窓が設けられている第１の筒と、レンズを保持するレンズ保持枠を駆動させる駆動部と、前記駆動部と連動して回転する回転部材と、前記回転部材の周上に設けた前記レンズ保持枠の位置を距離情報として表示する距離情報表示部材と、を備え、前記距離情報表示部材の距離情報を前記距離情報観察窓を介して観察できる構成のレンズ鏡筒において、前記距離情報表示部材は一方の面に前記距離情報が表示された長方形状のシート部材を前記駆動部の外周を覆うように前記回転部材の周上に一周以上円筒状に巻いて構成されていることを特徴としている。
【発明の効果】
【０００７】
本発明によれば、距離情報表示部材や距離情報観察窓といった外部から見える部分へのゴミの付着を効果的に防止することができ、鏡筒の小型化が容易なレンズ鏡筒が得られる。
【図面の簡単な説明】
【０００８】
【図１】本発明のレンズ鏡筒をレンズ交換式デジタル一眼レフカメラに適用したときの実施例１の断面図
【図２】図１のフォーカスユニット１０８の断面図
【図３】図１のフォーカスユニット１０８の斜視図
【図４】図１における距離情報表示部材１０８ａの展開図
【図５】図１における距離情報表示部材１０８ａ及び回転部材１０８ｂの全体図（Ａ）及び拡大図（Ｂ）
【図６】本発明の実施例２におけるフォーカスユニット１０８の断面図
【発明を実施するための形態】
【０００９】
以下に、本発明の好ましい実施の形態を、添付の図面に基づいて詳細に説明する。本発明のレンズ鏡筒は、周上に距離情報観察窓(観察窓)４４が設けられている第１の筒(前枠)２８を有している。レンズ(レンズユニット)１０２を保持するレンズ保持枠(２群鏡筒)３２を駆動させる駆動部１０８ｈを有している。更に駆動部１０８ｈと連動して回転する回転部材１０８ｂと、回転部材１０８ｂの周上に設けたレンズ保持枠３２の位置を距離情報として表示する距離情報表示部材１０８ａと、を備えている。距離情報表示部材１０８ａの距離情報を距離情報観察窓４４を介して観察できる構成より成っている。距離情報表示部材１０８ａは一方の面Ａに距離情報が表示された長方形状のシート部材１０８ａａを駆動部１０８ｈの外周を覆うように回転部材１０８ａの周上に一周以上円筒状に巻いて構成されている。シート部材１０８ａａの一端１０８ａ−５には、他端側と貼り合わせするときの基準となる１以上の基準線１０８ａ−２が形成されている。
【００１０】
図１は、本発明の実施例にかかわるレンズ鏡筒をレンズ交換式デジタル一眼レフカメラ（撮像装置）に適用したときの要部断面図である。図１では、レンズ光軸（撮影光軸）ＡＸＬの方向をＺ方向とし、レンズ光軸ＡＸＬに対して直交する方向であって、撮像面６に平行な２方向のうち横方向をＸ方向、縦方向をＹ方向としている。１はカメラボディ（以下、単にカメラという）である。２はカメラ１に着脱可能に装着された交換レンズである。まず、カメラ１の構造について説明する。図１で示した状態において、メインミラー３は交換レンズ２からの光束の光路上に配置され、その光束の一部を反射してファインダ光学系ＦＯ（７、８）に導き、かつ残りの光束を透過させる。メインミラー３の背後（像側）にはサブミラー４が配置されており、メインミラー３を透過した光束を反射して焦点検出ユニット５に導く。なお、メインミラー３およびサブミラー４は不図示の駆動機構により上記光路から一体的に退避することが可能となっている。
【００１１】
焦点検出ユニット５は、いわゆる公知の位相差検出方式での焦点検出（交換レンズ２の焦点状態の検出）を行う機能を持つ。焦点検出ユニット５は、入射した光束を２つの光束に分割するセパレータレンズと、分割した光束で各々被写体像を再結像させる２つのレンズを有する。更に結像した２つの被写体像をそれぞれ光電変換するＣＣＤセンサ等のラインセンサ等から構成されている。なお、ラインセンサは、被写体の縦方向（Ｙ方向）と横方向（Ｘ方向）の像位置を検出するよう十字型に配置されている。６はＣＣＤセンサ又はＣＭＯＳセンサにより構成される撮像素子であり、この撮像素子６の受光面（撮像面）上には交換レンズ２からの光束による物体像（像）が結像する。撮像素子６は、結像した被写体像を光電変換し、撮像信号を出力する。また、不図示の電子制御式フォーカルプレーンシャッタにより撮像素子６の露光量を制御する。
【００１２】
ファインダ光学系ＦＯは、像反転手段としてのペンタプリズム７と、接眼レンズ８とを有している。９はディスプレイパネルであり、撮像素子６の信号を入力とした不図示の信号処理部から出力される画像やその他様々な撮影情報を表示する機能を持つ。交換レンズ２は被写体側から像側へ順に、固定レンズとしての第１レンズユニット１０１、フォーカスレンズとしての第２レンズユニット１０２、固定レンズとしての第３レンズユニット１０３を有している。更にフォーカスレンズとしての第４レンズユニット１０４、さらに防振レンズとしての第５レンズユニット１０５、固定レンズとしての第６レンズユニット１０６を有している。絞りユニット１０７は第３レンズユニット１０３の前側（物体側）に配置されており、交換レンズ２内を通過してカメラ１側に至る光束の光量を調節する。なお、上記レンズユニット１０１〜１０６および絞りユニット１０７は撮影光学系の一部を構成している。
【００１３】
第２レンズユニット１０２及び第４レンズユニット１０４は、フォーカスユニット１０８からの駆動力を受けて光軸ＡＸＬ上を移動して焦点調節を行う。本実施例の交換レンズ２は単一焦点距離の撮影レンズであるが、ズーム機能を有するズームレンズであっても良い。フォーカスユニット１０８には駆動部１０８ｈと連動して回転する回転部材１０８ｂと回転部材１０８ｂに設けた距離情報表示部材１０８ａが備えられている。距離情報表示部材１０８ａの距離情報を前枠（第１の筒）２８に取り付けられた距離情報表示窓（距離情報観察窓）４４を介して外部から観察できる構造となっている。
【００１４】
次に、交換レンズ２のレンズ鏡筒の構造について説明する。２１は固定筒であり、案内筒２２の取り付け部２１ａと外装環３０の取り付け部（不図示）及び振れ補正用レンズ駆動装置３９の取り付け部（不図示）、第６群鏡筒３６の取り付け部２１ｂ、回路基板４２を取り付けるための取り付け部（不図示）等を備える。なお、固定筒２１の取り付け部２１ａにおいて案内筒２２とは締結等の方法で固定されている。また固定筒２１には不図示の外装環取り付け部において、マウント４０とは外装環３０を介して締結等の方法で固定される。また、振れ補正用レンズ駆動装置取り付け部（不図示）と振れ補正用レンズ駆動装置３９は不図示のコロを介して固定されているため、偏芯コロを用いることで固定筒２１に対して第５レンズユニット１０５の傾き調整を行うことが可能である。第６群鏡筒取り付け部２１ｂおいて、第６群鏡筒３６とは締結等の方法で固定される。
【００１５】
２２は案内筒（第２の筒）であり、第１直進溝（案内溝）２２ａ、第２直進溝（案内溝）２２ｂ、固定筒２１との取り付け部２２ｃと前側固定筒２３との取り付け部２２ｄを備える。また角速度や加速度を検出するセンサが実装された部材の取り付け部２２ｅをフォーカスユニット１０８の取り付け部（不図示）、第３群鏡筒３３の取り付け部（不図示）を有する。更にカム筒２４のスラスト方向（光軸方向）への移動を規制するバヨネット部２２ｆを第２の筒２２に設けられた片側が周方向に複数切り欠かれた溝部を備える。第１直進溝２２ａはフォーカス用の第２群鏡筒３２の直進案内を行い、第２直進溝２２ｂはフォーカス用の第４群鏡筒３４の直進案内を行う。第３群鏡筒取り付け部（不図示）と第３群鏡筒３３は不図示のコロを介して固定される。また、案内筒２２にはカム筒２４に取り付けられたフォーカスコロ（不図示）の軌跡からオフセットした切り欠き部（不図示）を有している。また、後述する絞りユニット１０７へ電力を供給するフレキシブルプリント基板を保持する保持板の取り付け部（不図示）を備える。
【００１６】
２３は前側固定筒であり、案内筒２２との取り付け部２３ａと前枠２８との取り付け部２３ｂ、第１群鏡筒３１の取り付け部（不図示）を有する。第１群鏡筒取り付け部は光軸方向への第１群鏡筒３１の移動を規制する規制部とコロの当接部とからなり、第１群鏡筒３１に取り付けた偏芯コロにより第１群鏡筒すなわち、第１レンズユニット１０１を前側固定筒２３に対して偏芯調整可能な構造としている。２４はカム筒（第１の筒）であり、第１カム溝（カム溝）２４ａ、第２カム溝２４ｂ、フォーカスコロ（不図示）の取り付け部（不図示）を有する。また案内筒２２のバヨネット部２２ｆと係合する第１の筒２４の周方向に複数設けられた突起部２４ｃを備える。カム筒２４は案内筒２２の内側に配置され、前・後端の２箇所で径嵌合している。
【００１７】
２５、２６はそれぞれ第１カムフォロワ、第２カムフォロワである。第２群鏡筒３２に固定された第１カムフォロア２５がカム筒２４の第１カム溝２４ａと案内筒２２の第１直進溝（第１案内溝）２２ａに係合する。そして、第４群鏡筒３４に固定された第２カムフォロア２６がカム筒２４の第２カム溝２４ｂと案内筒２２の第２直進溝（第２案内溝）２２ｂに係合する。フォーカスユニット１０８を駆動すると、フォーカスユニット１０８の出力部である不図示のキー部が光軸まわりに回転する。さらに、前記キー部とはフォーカスコロ（不図示）が係合し、前記フォーカスコロの取り付け部材であるカム筒２４に回転を伝達する。カム筒２４の回転により、第２群鏡筒３２は第１カムフォロア２５を介して第１直進溝２２ａと第１カム溝２４ａの相対関係に従いながら光軸方向に移動する。第４群鏡筒３４も同様に、第２カムフォロア２６を介して第２直進溝２２ｂと第２カム溝２４ｂの相対関係に従いながら光軸方向に移動する。以上がカムフォロア２５、２６の機能である。
【００１８】
２７はフォーカス環であり、フォーカスユニット１０８に固定されたコロ（不図示）と係合することで光軸方向の移動を規制し回転可能に保持する案内溝部２７ａを有する。さらに、フォーカス環２７のフォーカスユニット１０８の突起部（不図示）と係合して、フォーカス環２７の回転をフォーカスユニット１０８へ伝達する溝部２７ｂを有する。フォーカスユニット１０８は不図示の駆動源と、キー部（不図示）、フォーカス環２７と係合すう突起部（不図示）とからなる。駆動源と電気回路基板４２とは、フレキシブルプリント基板等で接続されていて電気回路基板４２からの駆動信号により駆動源が駆動されるようになっている。２８は前枠であり、前側固定筒２３の取り付け部２８ａ、フィルタ等のアクセサリを装着するためのネジ部２８ｂと、フード等のアクセサリを装着するためのツバ部２８ｃ、距離情報表示窓４４の取り付け部（不図示）を有している。２９は化粧環であり前枠２８のネジ部２８ｂにねじ込み固定される。
【００１９】
３０は外装環であり、装飾のために内部部品を覆うカバー部材である。固定筒２１及びマウント部材４０の間にあり、共締めで固定される取り付け部（不図示）を有する。また、フォーカスや防振機能の切換えを行う操作部材（不図示）が取り付けられている。３１は第１群鏡筒であり、前側固定筒２３との当接部及び不図示のコロを固定する取り付け部（不図示）を有する。３２はフォーカス用の第２群鏡筒（レンズ保持枠）であり、第１カムフォロア２５を固定する座部３２ａ、副絞り装置３８のアーム部３８ｃと係合するガイド部３２ｂを有する。３３は固定の第３群鏡筒であり、不図示のコロを介して案内筒２２に固定される取り付け部（不図示）を有する。また、絞りユニット１０７の取り付け部（不図示）、主絞り装置３７の駆動部（不図示）を囲む形状を有する。３４はフォーカス用の第４群鏡筒（レンズ保持枠）であり、第２カムフォロア２６を固定する座部３４ａを有する。
【００２０】
３５は防振用の第５群鏡筒であり、振れ補正用レンズ駆動装置３９の駆動部３９ａにより光軸に平行な平面内でシフトすることで手振れ補正を行う機能を有する。３６は固定の第６群鏡筒であり、固定筒２１と固定される取り付け部３６ａを有する。なお、第１群鏡筒３１〜第６群鏡筒３６はそれぞれ第１レンズユニット１０１〜第６レンズユニット１０６の構成部品である。３７は主絞り装置であり、第３群鏡筒３３の物体側に配置され、複数の絞り羽根３７ａ、駆動部材（不図示）及びカバー部材（不図示）から構成される。不図示のフレキシブルプリント基板は、その一端が主絞り装置３７に接続され、他方が電気回路基板４２に接続されている。電気回路基板４２からの駆動信号により、絞り羽根３７ａは駆動され、通過光束を規制している。なお、主絞り装置３７及び副絞り装置３８で絞りユニット１０７は構成されている。３８は副絞り装置であり、主絞り装置３７の物体側に配置され、複数の絞り羽根３８ａ、及び絞り羽根３８ａの開閉を行うために回転する回転部材３８ｂから構成される。また、回転部材３８ｂから延出したアーム部３８ｃは第２群鏡筒３２のガイド部３２ｂと係合する。フォーカスを行った際の第２群鏡筒３２の直進移動によってアーム部３８ｃ、すなわち回転部材３８ｂが回転することで絞り羽根３８ａを開閉させる構造より成っている。
【００２１】
振れ補正用レンズ駆動装置３９は、光軸に垂直な平面内でシフトすることで手振れの補正を行う第５群鏡筒３５（可動部）と第５群鏡筒３５を駆動させる駆動部３９ａを有する。さらに、不図示のフレキシブルプリント基板は、その一端が振れ補正用レンズ駆動装置３９の駆動部３９ａに接続され、他方が電気回路基板４２に接続されている。電気回路基板４２からの駆動信号により、第５群鏡筒３５は駆動される。４０はマウント部材で、開口部４０ａと、カメラ本体への取り付くためのツバ部４０ｂと、固定筒２１との締結のための座部（不図示）からなる。また、マウント部材４０の開口部には裏蓋４３が取り付けられており、裏蓋４３の内径部には反射防止のため植毛処理がされている。４１は接点部材で、その片端が電気回路基板４２に接続されている接点部４１ａを有し、カメラ本体に取り付けた時にカメラ本体の接点部と接触して、カメラ本体との情報伝達を行うようになっている。電気回路基板４２は、レンズ内において種々の駆動のための演算およびカメラとの情報伝達の処理を行う。このような構成のレンズ鏡筒において、不図示のレリーズボタンの操作がなされると、オートフォーカス、露出決定動作の後、撮像素子の露光及び取得された画像の記録動作がなされる。以上が個々の部材の説明である。次に、本実施例のレンズ鏡筒に関わる主な部品の相互関係について説明する。
【００２２】
［実施例１］
以下、図２乃至図５を参照して、本発明の実施例１によるレンズ鏡筒の構成について説明する。図２乃至図５は、図１に示したレンズ鏡筒２の一部分の説明図である。図２乃至図５は順に、それぞれ上述したフォーカスユニット１０８の拡大図、斜視図、距離情報表示部材１０８ａの展開図、距離情報表示部材１０８の概略図を示している。フォーカスユニット１０８の駆動機構について図２を用いて説明する。距離情報表示部材１０８ａは図４で示すような長方形状のシート部材１０８ａａより成り、Ａ面側（外径側）に距離情報１０８ａ−１が記載され、円筒状の回転部材１０８ｂの外周面に沿わせて貼り付けることで円筒形状にして回転部材１０８ｂと一体化している。１０８ｅは固定部材であり、回転部材１０８ｂの回転を検出する不図示の回転角検出部が設けられている。回転部材１０８ｂは図３に示したコロ１０８ｉ（３箇所）を回転可能に保持しており、フォーカス環２７に連結された連結環１０８ｆとロータ１０８ｃにはコロ１０８ｉとの当接面が設けられ、それぞれの当接面の間にコロ１０８ｉを挟んだ構造である。また、１０８ｄはステータであり、加圧部材１０８ｇによりロータ１０８ｃ、コロ１０８ｉ、連結環１０８ｆが固定部材１０８ｅに対して加圧されている。不図示の圧電素子によりステータ１０８ｄに振動を発生させるとステータ１０８ｄとロータ１０８ｃの接触面に生じる振動波によってロータ１０８ｃが回転する。なお、フォーカスレンズ用の駆動部１０８ｈはロータ１０８ｃとステータ１０８ｄを有しており、フォーカスレンズ１０２を駆動させる駆動部に対応している。
【００２３】
ロータ１０８ｃが回転するとコロ１０８ｉの転動により回転部材１０８ｂが固定部材１０８ｅに対して回転する。本実施例ではロータ１０８ｃの１回転に対し回転部材１０８ｂは１／２回転するように連動している。また、フォーカス環２７を手動で操作した場合には、連結環１０８ｆが回転し、コロ１０８ｉが転動することで固定部材１０８ｅに対し回転部材１０８ｂが回転する。回転部材１０８ｂの回転により回転部材１０８ｂに固定された不図示のフォーカスキーを介してカム筒２４が回転し、第２、第４レンズユニット１０２、１０４を直進駆動させる。第２、第４レンズユニット１０２、１０４の移動でフォーカスレンズを移動させて焦点調節を行うのは上述の通りである。以上が、フォーカスユニット１０８の駆動機構に関する説明である。以降は本実施例の特徴について説明する。本実施例では距離情報表示部材１０８ａを駆動部１０８ｈを覆うように外径側全周に設けている。これにより、駆動部１０８ｈで発生したゴミが距離情報表示部材１０８ａの情報表示面Ａや距離情報表示窓（距離情報観察窓）４４に付着しにくくしている。駆動部１０８ｈを覆うように外径側に設けた理由は、距離情報表示部材１０８ａが一部の位相しかない場合には、駆動部１０８ｈで発生したゴミがその位相以外の箇所から前枠２８の内径側に付着する。そしてそこから距離情報表示部材１０８ａの外径側の面Ａに付着することが考えられるためである。
【００２４】
また、距離情報表示部材１０８ａの内径側の面Ｂに両面テープや糊といった粘着剤を備えることにより、回転部材１０８ｂに接着固定することとゴミ取りを容易にしている。なお、本実施例では粘着剤を面Ｂに備えているが、面Ｂの裏面の面Ａのうち，表示窓４４を介して情報が観察されない領域の両方に設けても良い。粘着剤でゴミ取りを行うことは距離情報表示部材１０８ａや距離情報表示窓４４といった外部から見える部分へのゴミ付着を減らすという効果だけではなく、レンズ鏡筒２の内部へゴミが進入することを防ぐ効果もある。図４は距離情報表示部材１０８ａの展開図を示している。図４においてシート部材１０８ａａには、距離情報１０８ａ−１、複数の基準線１０８ａ−２が記載されている。距離情報表示部材１０８ａの一端１０８ａ−５には位置決め溝１０８ａ−４が設けられ、回転部材１０８ｂの位置決め突起（不図示）とあわせることで回転方向の位置決めを行っている。また、一端１０８ａ−５近傍に１以上の基準線１０８ａ−２を設けている。これにより、回転部材１０８ｂに巻きつける際、距離情報表示部材１０８ａの他端の一辺１０８ａ−３と１以上の基準線１０８ａ−２とが平行になるように貼り付けることで巻きつけ後の形状を円筒に近づけることができる。さらに、巻きつけ時のテンションによる伸び等を考慮して１以上（複数）の基準線を設けている。これにより、シート部材１０８ａａを回転部材１０８ｂに巻きつける場合でも不要なクリアランスを取る必要がなくなるので回転部材１０８ｂの小型化が容易になる。このことは不要な隙間を減らすことにも繋がるのでゴミの進入を防止できるという観点からも有効である。
【００２５】
次に、距離情報表示部材１０８ａを元々リング状の部材ではなくシート部材を巻きつけて構成した理由について説明する。ゴミの付着防止という観点からは距離情報表示部材１０８ａの内径側の面Ｂに接着剤を備えることが有利なことは上述した。元々リング状（円筒状）の部材とした場合には内径に粘着剤を備えたリング状の部品をレンズの光軸方向に挿入しながら組み込むことになる。これと比較して、内径に粘着剤を備えたシート部材を巻きつける方が組立てやすくなる。また、組み込み時に粘着剤が付着することを懸念して不要なクリアランスを取る必要がなくなるので鏡筒の小型化が容易となる。図５には距離情報表示部材１０８ａと回転部材１０８ｂのみを被写体側から見た全体図（Ａ）及び二点鎖線部の拡大図（Ｂ）を示している。距離情報表示部材１０８ａのシート部材１０８ａａを重ね合わせて貼り付ける範囲（シート部材１０８ａａを重ねて貼り合わされる箇所に対応）では、回転部材１０８ｂを図５（Ｂ）のような形状にしている。すなわち、回転部材１０８ｂ（被貼り付け部材に対応）に距離情報表示部材１０８ａのシート部材１０８ａａの厚さと同程度の段差１０８ｂ−１を設けている。このように本実施例では、回転部材１０８ｂの周上のシート部材１０８ａａが重ねて貼り合わされる領域は、シート部材１０８ａａの厚み分だけの段差を設けている。これによって、距離情報表示部材１０８ａの外径側の面（Ａ）が出っ張ることをなくしている。これにより不要な隙間からのゴミの進入を防止することができ、更に鏡筒の小型化を容易にしている。
【００２６】
［実施例２］
図６は本発明の実施例２によるレンズ鏡筒の要部概略図である。本実施例では、実施例１であるレンズ鏡筒にさらに円筒部材４５を追加している。具体的には、フォーカスユニット１０８の駆動部１０８ｈと距離情報表示部材１０８ａとの間に円筒部材４５を追加している。これによって駆動部１０８ｈで発生したゴミが距離情報表示部材１０８ａや距離情報表示窓４４に付着しにくくしている。また、図６で示している面Ａの情報が表示窓を介して観察されない領域，面Ｂ，面Ｃ，面Ｄの内の内外径のうち少なくとも一つに粘着剤を設ける（備える）ことでより効果的なゴミ防止が可能としている。なお、本実施例では円筒部材４５を新たな部品として追加したが、前枠２８と同一部材で同様の形状で作っても良い。さらに、円筒部材４５は距離情報表示部材１０８ａと同じようにシート部材を巻きつけたものでも良い。以上のように本実施例によれば、シート部材１０８ａａを円筒状に巻きつけた距離情報表示部材１０８ａを駆動部１０８ｈを覆うように外径側に配置している。これにより駆動部１０８ｈから発生したゴミが距離情報表示部材１０８ａの表面側（外径側）Ａに達しにくく、磨耗粉等のゴミの付着を防止することができる。さらに、シート部材１０８ａａが重ねて貼り合わされる箇所には１以上の基準線を設けている。これにより、巻きつけ後の形状を円筒に近づけることができるので相手部品（回転部材）との不要なクリアランスをとる必要がなくなり鏡筒の小型化が容易となり、またゴミの進入を防止することが容易となる。
【符号の説明】
【００２７】
１０８：フォーカスユニット、１０８ａ：距離情報表示部材、１０８ｈ：フォーカスレンズ駆動部、２１：固定筒、２２：案内筒、２３：前側固定筒、２４：カム筒、２５：第１カムフォロア、２６：第２カムフォロア、２７：フォーカス環、２８：前枠、３２：第２群鏡筒、３３：第３群鏡筒、３４：第４群鏡筒、３５：第５群鏡筒、３６：第６群鏡筒
４４：距離情報表示窓、１０８ａａ：シート部材、１０８ａ−２：基準線、１０８ｂ：回転部材、１０８ｈ：駆動部、１０８ａ：距離情報表示部材
【図１】
2011033684.tif 000003
【図２】
2011033684.tif 000004
【図３】
2011033684.tif 000005
【図４】
2011033684.tif 000006
【図５】
2011033684.tif 000007
【図６】
2011033684.tif 000008